(57)【要約】【課題】広告コンテンツを再生することによりデジタル著作権管理コンテンツを無料で再生できるようにする。【解決手段】ＤＲＭ装置１０により、ＡＤコンテンツが添付されたＤＲＭコンテンツが選択されると、権利発行サーバ（ＲＩ）３０はコンテンツ発行サーバ（ＣＩ）４０からＡＤコンテンツ及びＤＲＭコンテンツを受け取ってマルチコンテンツフォーマットファイルを生成し、ＤＲＭ装置１０はマルチコンテンツフォーマットファイルをダウンロードしてそれを複合化し、このマルチコンテンツフォーマットファイルにＡＤコンテンツの添付されたＤＲＭコンテンツが含まれていると、ＡＤコンテンツを再生した後、ＤＲＭコンテンツを無料で使用するものである。【選択図】図１
2008519367.tif 000002
【特許請求の範囲】
【請求項１】
広告コンテンツ（ＡＤコンテンツ）を著作権管理（ＤＲＭ）コンテンツに添付して一つのコンテンツを生成し、当該コンテンツに関する権利を発行する権利発行サーバ（ＲＩ）と、
前記ＡＤコンテンツが添付されたＤＲＭコンテンツを取得して前記ＡＤコンテンツを再生した後、前記ＤＲＭコンテンツを使用するＤＲＭ装置と、
を含むことを特徴とする広告コンテンツが添付されたデジタル著作権管理コンテンツを処理するシステム。
【請求項２】
前記ＲＩは、ＡＤコンテンツの添付を示すＡＤコンテンツビューヘッダ、ＡＤコンテンツ、及びＤＲＭコンテンツを利用してマルチコンテンツフォーマットファイルを生成した後に前記ＤＲＭ装置に提供し、該ＤＲＭ装置から報告された前記ＡＤコンテンツの使用情報に応じて、前記ＤＲＭコンテンツの権利を管理することを特徴とする請求項１に記載の広告コンテンツが添付されたデジタル著作権管理コンテンツを処理するシステム。
【請求項３】
前記ＡＤコンテンツ及び前記ＤＲＭコンテンツを提供するコンテンツ発行サーバ（ＣＩ）と、
前記ＡＤコンテンツが添付されたＤＲＭコンテンツの権利使用方法の種類を提供するプレゼンテーションサーバ（ＰＳ）と、
をさらに含むことを特徴とする請求項１に記載の広告コンテンツが添付されたデジタル著作権管理コンテンツを処理するシステム。
【請求項４】
前記ＰＳは、前記ＤＲＭ装置により選択され、前記ＡＤコンテンツが添付されたＤＲＭコンテンツの権利情報を前記ＲＩに提供することを特徴とする請求項３に記載の広告コンテンツが添付されたデジタル著作権管理コンテンツを処理するシステム。
【請求項５】
前記ＲＩは、前記ＡＤコンテンツ及び前記ＤＲＭコンテンツを前記ＣＩに要求し、該ＣＩから提供された前記ＡＤコンテンツ及び前記ＤＲＭコンテンツを利用して前記マルチコンテンツフォーマットファイルを生成することを特徴とする請求項４に記載の広告コンテンツが添付されたデジタル著作権管理コンテンツを処理するシステム。
【請求項６】
前記マルチコンテンツフォーマットファイルは、
ＡＤコンテンツの添付を示す第１ＡＤコンテンツビューヘッダを含むＤＣＦヘッダフィールド、及び前記ＤＲＭコンテンツを含むコンテンツフィールドとから構成される第１ＤＲＭコンテナと、
ＡＤコンテンツの添付を示す第２ＡＤコンテンツビューヘッダを含むＤＣＦヘッダフィールド、及び前記ＡＤコンテンツを含むコンテンツフィールドとから構成される第２ＤＲＭコンテナと、
を含むことを特徴とする請求項５に記載の広告コンテンツが添付されたデジタル著作権管理コンテンツを処理するシステム。
【請求項７】
前記第１ＡＤコンテンツビューヘッダ及び前記第２ＡＤコンテンツビューヘッダは、ターゲットコンテンツタイプ又はＡＤコンテンツタイプであることを特徴とする請求項６に記載の広告コンテンツが添付されたデジタル著作権管理コンテンツを処理するシステム。
【請求項８】
前記第１ＡＤコンテンツビューヘッダは、前記ターゲットコンテンツタイプの場合に、ＡＤコンテンツＩＤパラメータとＡＤコンテンツ管理サーバ位置情報パラメータを有することを特徴とする請求項７に記載の広告コンテンツが添付されたデジタル著作権管理コンテンツを処理するシステム。
【請求項９】
前記第２ＡＤコンテンツビューヘッダは、前記ＡＤコンテンツタイプの場合に、空値（ＮＵＬＬ）に設定されたアルゴリズムＩＤパラメータを有することを特徴とする請求項７に記載の広告コンテンツが添付されたデジタル著作権管理コンテンツを処理するシステム。
【請求項１０】
前記ＲＩは、前記ＤＲＭ装置から報告されたＡＤコンテンツの使用による認証情報及び許可情報に応じて、前記ＡＤコンテンツが添付されたＤＲＭコンテンツの権利を管理し、前記認証情報及び前記許可情報の報告によって前記ＡＤコンテンツの統計情報を収集するＡＤコンテンツ管理サーバを含むことを特徴とする請求項２に記載の広告コンテンツが添付されたデジタル著作権管理コンテンツを処理するシステム。
【請求項１１】
前記ＤＲＭ装置は、前記ＤＲＭコンテンツのＤＣＦファイルが前記ＤＲＭコンテンツ及び前記ＡＤコンテンツを含むか否かを判定して、前記ＤＣＦファイルのＡＤコンテンツを再生し、前記ＡＤコンテンツの再生による認証情報及び許可情報をＡＤコンテンツ管理サーバに報告し、前記ＡＤコンテンツ管理サーバから受信された応答メッセージを確認して、前記ＤＲＭコンテンツの権利が有効であるときに前記ＤＲＭコンテンツを再生することを特徴とする請求項１に記載の広告コンテンツが添付されたデジタル著作権管理コンテンツを処理するシステム。
【請求項１２】
前記認証情報が前記ＤＲＭ装置のＩＤを含み、前記許可情報が前記ＤＲＭコンテンツのＩＤ、前記ＡＤコンテンツの使用回数、及び前記ＤＲＭコンテンツの権利使用方法による権利使用状態を含むことを特徴とする請求項１１に記載の広告コンテンツが添付されたデジタル著作権管理コンテンツを処理するシステム。
【請求項１３】
前記ＤＲＭコンテンツの権利使用方法が使用回数の場合、前記権利使用状態が前記ＤＲＭコンテンツの現在使用回数を示し、前記ＤＲＭコンテンツの権利使用方法が使用期限の場合、前記権利使用状態が現在の日付情報を示すことを特徴とする請求項１２に記載の広告コンテンツが添付されたデジタル著作権管理コンテンツを処理するシステム。
【請求項１４】
前記ＤＲＭ装置は、
ＡＤコンテンツが添付されたＤＲＭコンテンツをダウンロードするダウンロードエージェントと、
前記ＤＲＭコンテンツが前記ＡＤコンテンツを添付しているか否かを判定して前記ＤＲＭコンテンツを複合化する構文解析部と、
前記ＤＲＭコンテンツ及び前記ＡＤコンテンツをＤＲＭアプリケーションプログラムに接続し、前記ＤＲＭコンテンツの権利を前記ＡＤコンテンツの使用に応じて管理するＤＲＭエージェントと、
前記ＤＲＭコンテンツの権利状態情報を管理するためのデータベース（ＤＢ）と、
前記ＤＲＭエージェントの制御により、前記ＤＲＭコンテンツ及び前記ＡＤコンテンツを再生するための前記ＤＲＭアプリケーションプログラムと、
を含むことを特徴とする請求項１に記載の広告コンテンツが添付されたデジタル著作権管理コンテンツを処理するシステム。
【請求項１５】
前記ＤＲＭ装置が移動端末機を含むことを特徴とする請求項１に記載の広告コンテンツが添付されたデジタル著作権管理コンテンツを処理するシステム。
【請求項１６】
著作権管理（ＤＲＭ）システムにおいて、
マルチコンテンツフォーマットファイルに、広告コンテンツ（ＡＤコンテンツ）の添付を示すＡＤコンテンツビューヘッダを追加し、ＡＤコンテンツ及びＤＲＭコンテンツを挿入することにより、前記マルチコンテンツフォーマットファイルのＡＤコンテンツを再生すると前記ＤＲＭコンテンツを使用できることを特徴とする広告コンテンツが添付されたデジタル著作権管理コンテンツの処理方法。
【請求項１７】
前記マルチコンテンツフォーマットファイルは、
権利発行サーバ（ＲＩ）が、前記マルチコンテンツフォーマットファイル（マルチパートＤＣＦファイル）の各ＤＲＭコンテナのＤＣＦヘッダフィールドに前記ＡＤコンテンツビューヘッダを追加し、前記ＤＲＭコンテンツを一つのＤＲＭコンテナに追加し、前記ＡＤコンテンツを他のＤＲＭコンテナに追加して生成されることを特徴とする請求項１６に記載の広告コンテンツが添付されたデジタル著作権管理コンテンツの処理方法。
【請求項１８】
前記ＡＤコンテンツビューヘッダは、前記ＤＲＭコンテンツ用のターゲットコンテンツタイプと前記ＡＤコンテンツ用のＡＤコンテンツタイプとを有することを特徴とする請求項１７に記載の広告コンテンツが添付されたデジタル著作権管理コンテンツの処理方法。
【請求項１９】
前記ＡＤコンテンツビューヘッダは、前記ターゲットコンテンツタイプに対して、ＡＤコンテンツＩＤパラメータとＡＤコンテンツ管理サーバ位置情報パラメータとを有することを特徴とする請求項１８に記載の広告コンテンツが添付されたデジタル著作権管理コンテンツの処理方法。
【請求項２０】
前記ＡＤコンテンツビューヘッダは、前記ＡＤコンテンツタイプに対して、空値（ＮＵＬＬ）に設定されたアルゴリズムＩＤパラメータを有することを特徴とする請求項１８に記載の広告コンテンツが添付されたデジタル著作権管理コンテンツの処理方法。
【請求項２１】
前記ＤＲＭコンテンツを無料で使用する方法は、
ＤＲＭ装置が、権利発行サーバ（ＲＩ）から前記マルチコンテンツフォーマットファイルをダウンロードする過程と、
前記ＤＲＭ装置が、前記ダウンロードしたマルチコンテンツフォーマットファイルの複合化により、前記ＤＲＭコンテンツが前記ＡＤコンテンツを添付しているか否かを判定する過程と、
前記ＤＲＭコンテンツが前記ＡＤコンテンツを添付している場合には、前記ＡＤコンテンツを再生した後に前記ＤＲＭコンテンツを使用する過程と、
を含むことを特徴とする請求項１６に記載の広告コンテンツが締付されたデジタル著作権管理コンテンツの処理方法。
【請求項２２】
前記マルチコンテンツフォーマットファイルをダウンロードする過程は、
前記ＤＲＭ装置が、プレゼンテレションサーバ（ＰＳ）に接続して一つのＤＲＭコンテンツを選択する過程と、
前記ＰＳが、前記ＤＲＭコンテンツの権利に対するコストの種類を前記ＤＲＭ装置に通知する過程と、
前記ＤＲＭ装置が、前記コストの種類のうち、「広告視聴後無料」を選択する過程と、
前記ＤＲＭ装置が、前記「広告視聴後無料」による広告及びＤＲＭコンテンツの権利使用方法を選択する過程と、
前記ＰＳが、前記選択された広告及びＤＲＭコンテンツの権利使用方法に関する情報を前記ＲＩに通知する過程と、
前記ＲＩが、前記広告及びＤＲＭコンテンツの権利使用方法に関する情報に応じて、前記ＡＤコンテンツ及び前記ＤＲＭコンテンツをコンテンツ発行サーバ（ＣＩ）に要求する過程と、
前記ＣＩが、前記ＡＤコンテンツ及び前記ＤＲＭコンテンツを前記ＲＩに提供する過程と、
前記ＲＩが、前記提供されたＡＤコンテンツ及びＤＲＭコンテンツを利用して前記マルチコンテンツフォーマットファイルを生成し、前記マルチコンテンツフォーマットファイルを前記ＤＲＭ装置にダウンロードする過程と、
を含むことを特徴とする請求項２１に記載の広告コンテンツが添付されたデジタル著作権管理コンテンツの処理方法。
【請求項２３】
前記ＤＲＭコンテンツが前記ＡＤコンテンツを添付しているか否かを判定する過程は、
前記ＤＲＭ装置が、前記マルチコンテンツフォーマットファイルが前記ＡＤコンテンツの添付を示すＡＤコンテンツビューヘッダを含むか否かを判定する過程と、
前記マルチコンテンツフォーマットファイルが前記ＡＤコンテンツビューヘッダを含んでいるときに、前記ＤＲＭ装置が、前記ＡＤコンテンツビューヘッダが前記ＤＲＭコンテンツ用のターゲットコンテンツタイプと前記ＡＤコンテンツ用のＡＤコンテンツタイプとを有するか否かを判定する過程と、
前記ＡＤコンテンツビューヘッダが前記ターゲットコンテンツタイプと前記ＡＤコンテンツタイプとを有しているときに、前記ＤＲＭ装置が、前記ターゲットコンテンツタイプに対して、ＡＤコンテンツＩＤパラメータとＡＤコンテンツ管理サーバ位置情報パラメータとが指定されているか否かを判定する過程と、
前記二つのパラメータが指定されているときに、前記ＤＲＭ装置が、前記ＡＤコンテンツタイプのために、アルゴリズムＩＤパラメータが空値（ＮＵＬＬ）に設定されているか否かを判定する過程と、
前記アルゴリズムＩＤパラメータが空値（ＮＵＬＬ）に設定されているときに、前記ＤＲＭ装置が、前記ＤＲＭコンテンツが前記ＡＤコンテンツを添付していると判断する過程と、
を含むことを特徴とする請求項２１に記載の広告コンテンツが添付されたデジタル著作権管理コンテンツの処理方法。
【請求項２４】
前記マルチコンテンツフォーマットファイルが前記ＡＤコンテンツビューヘッダを含んでいないときに、前記ＤＲＭコンテンツが前記ＡＤコンテンツを添付していないと前記ＤＲＭ装置が判断することを特徴とする請求項２３に記載の広告コンテンツが締付されたデジタル著作権管理コンテンツの処理方法。
【請求項２５】
前記ＤＲＭコンテンツを無料で使用する過程は、
前記ＤＲＭ装置が、前記マルチコンテンツフォーマットファイルが前記ＡＤコンテンツの添付を示すＡＤコンテンツビューヘッダを含むか否かを判定する過程と、
前記マルチコンテンツフォーマットファイルが前記ＡＤコンテンツビューヘッダを含んでいるとき、前記ＤＲＭ装置が、前記ＤＲＭコンテンツの権利状態が有効状態であるか否かを判定する過程と、
前記ＤＲＭ装置が、前記権利状態が有効状態であるときエラーを通知し、前記権利状態が有効状態でないとき前記ＡＤコンテンツを再生する過程と、
前記ＤＲＭ装置が、前記ＡＤコンテンツの使用による認証情報及び許可情報をＡＤコンテンツ管理サーバに送信する過程と、
前記ＡＤコンテンツ管理サーバからの応答に応じて、前記ＤＲＭコンテンツの権利が有効であると判定されると、前記ＤＲＭ装置が、前記権利状態を有効状態に設定し、前記ＤＲＭコンテンツを無料で再生する過程と、
前記ＤＲＭ装置が、前記権利状態を無効状態に初期化する過程と、
を含むことを特徴とする請求項２１に記載の広告コンテンツが添付されたデジタル著作権管理コンテンツの処理方法。
【請求項２６】
前記認証情報が前記ＤＲＭ装置のＩＤを含み、前記許可情報が前記ＤＲＭコンテンツのＩＤ、前記ＡＤコンテンツの使用回数、及び前記ＤＲＭコンテンツの権利使用方法による権利使用状態を含むことを特徴とする請求項２５に記載の広告コンテンツが添付されたデジタル著作権管理コンテンツの処理方法。
【請求項２７】
前記ＤＲＭコンテンツの権利使用方法が使用回数の場合、前記権利使用状態が前記ＤＲＭコンテンツの現在使用回数を示し、前記ＤＲＭコンテンツの権利使用方法が使用期限の場合、前記権利使用状態が現在の日付情報を示すことを特徴とする請求項２６に記載の広告コンテンツが添付されたデジタル著作権管理コンテンツの処理方法。
【請求項２８】
著作権管理（ＤＲＭ）装置が、広告コンテンツ（ＡＤコンテンツ）が添付されたＤＲＭコンテンツを選択する過程と、
プレゼンテレションサーバ（ＰＳ）が、前記ＡＤコンテンツが添付されたＤＲＭコンテンツの情報を権利発行サーバ（ＲＩ）に提供する過程と、
前記ＲＩが、前記ＡＤコンテンツ及び前記ＤＲＭコンテンツをコンテンツ発行サーバ（ＣＩ）に要求する過程と、
前記ＣＩが、前記ＡＤコンテンツ及び前記ＤＲＭコンテンツを前記ＲＩに提供する過程と、
前記ＲＩが、前記ＡＤコンテンツ及び前記ＤＲＭコンテンツを利用してマルチコンテンツフォーマットファイルを生成し、前記マルチコンテンツフォーマットフアイルを前記ＤＲＭ装置にダウンロードする過程と、
を含むことを特徴とする広告コンテンツが添付されたデジタル著作権管理コンテンツの処理方法。
【請求項２９】
前記マルチコンテンツフォーマットファイルがダウンロードされると、前記ＤＲＭ装置が、前記ＲＩに連動して前記ＤＲＭコンテンツに対する権利の発行を受ける過程をさらに含むことを特徴とする請求項２８に記載の広告コンテンツが添付されたデジタル著作権管理コンテンツの処理方法。
【請求項３０】
前記マルチコンテンツフォーマットファイルは、前記ＡＤコンテンツの添付を示すＡＤコンテンツビューヘッダを各ＤＲＭコンテナのＤＣＦヘッダフィールドに追加し、前記ＤＲＭコンテンツを一つのＤＲＭコンテナに含め、前記ＡＤコンテンツを他のＤＲＭコンテナに含めることを特徴とする請求項２８に記載の広告コンテンツが添付されたデジタル著作権管理コンテンツの処理方法。
【請求項３１】
前記ＡＤコンテンツビューヘッダは、前記ＤＲＭコンテンツ用のターゲットコンテンツタイプと前記ＡＤコンテンツ用のＡＤコンテンツタイプとを有することを特徴とする請求項３０に記載の広告コンテンツが添付されたデジタル著作権管理コンテンツの処理方法。
【請求項３２】
前記ＡＤコンテンツビューヘッダは、前記ターゲットコンテンツタイプに対して、ＡＤコンテンツＩＤパラメータとＡＤコンテンツ管理サーバ位置情報パラメータとを有することを特徴とする請求項３１に記載の広告コンテンツが添付されたデジタル著作権管理コンテンツの処理方法。
【請求項３３】
前記ＡＤコンテンツビューヘッダは、前記ＡＤコンテンツタイプに対して、空値（ＮＵＬＬ）に設定されたアルゴリズムＩＤパラメータを有することを特徴とする請求項３１に記載の広告コンテンツが添付されたデジタル著作権管理コンテンツの処理方法。
【請求項３４】
広告コンテンツ（ＡＤコンテンツ）の添付を示すＡＤコンテンツビューヘッダと、ＡＤコンテンツを含む少なくとも一つのコンテンツとを含むマルチコンテンツフォーマットファイルを使用することを特徴とするデジタル著作権管理システム。
【請求項３５】
前記マルチコンテンツフォーマットファイルは、前記ＡＤコンテンツビューヘッダを各著作権管理（ＤＲＭ）コンテナのＤＣＦヘッダフィールドに追加し、前記ＤＲＭコンテンツを一つのＤＲＭコンテナに含め、前記ＡＤコンテンツを他のＤＲＭコンテナに含めることを特徴とする請求項３４に記載のデジタル著作権管理システム。
【請求項３６】
前記ＡＤコンテンツビューヘッダは、前記ＤＲＭコンテンツ用のターゲットコンテンツタイプと前記ＡＤコンテンツ用のＡＤコンテンツタイプとを有することを特徴とする請求項３５に記載のデジタル著作権管理システム。
【請求項３７】
前記ＡＤコンテンツビューヘッダは、前記ターゲットコンテンツタイプに対して、ＡＤコンテンツＩＤパラメータとＡＤコンテンツ管理サーバ位置情報パラメータとを有することを特徴とする請求項３６に記載のデジタル著作権管理システム。
【請求項３８】
前記ＡＤコンテンツビューヘッダは、前記ＡＤコンテンツタイプに対して、空値（ＮＵＬＬ）に設定されたアルゴリズムＩＤパラメータを有することを特徴とする請求項３６に記載のデジタル著作権管理システム。
【請求項３９】
広告情報を有するデジタルコンテンツをダウンロードするダウンロードエージェントと、
前記ダウンロードしたデジタルコンテンツが広告情報を含むか否かを判定し、前記ダウンロードしたデジタルコンテンツを複合化する構文解析部と、
認証されたユーザが前記広告情報を見た後にのみ、前記ダウンロードしたデジタルコンテンツを再生するアプリケーションプログラムと、
を含むことを特徴とするデジタル著作権管理装置。
【請求項４０】
前記デジタルコンテンツ及び前記広告情報を前記アプリケーションプログラムに接続し、前記デジタルコンテンツを再生する前に前記認証されたユーザの見る前記広告情報を要求して、前記デジタルコンテンツの違法複製を防止する著作権管理（ＤＲＭ）エージェントをさらに含むことを特徴とする請求項３９に記載のデジタル著作権管理装置。
【請求項４１】
前記認証されたユーザには、前記広告情報を見る代価として、前記デジタルコンテンツを無料で再生することを許可することを特徴とする請求項３９に記載のデジタル著作権管理装置。
【請求項４２】
前記広告情報を提供した広告主は、認証されたユーザがダウンロードする前記デジタルコンテンツに前記広告情報を添付するために、前記デジタルコンテンツのプロバイダに料金を支払うことを特徴とする請求項４１に記載のデジタル著作権管理装置。
【発明の詳細な説明】
【技術分野】
【０００１】
本発明はデジタル著作権管理（Digital Rights Management；以下、「ＤＲＭ」という）システムに関し、特に、ＤＲＭシステムがユーザに広告コンテンツ（advertising contents；以下、「ＡＤコンテンツ」という）が添付され、ＤＲＭ保護されたコンテンツ（DRM protected contents；以下「ＤＲＭコンテンツ」という）を提供し、ユーザが上記ＡＤコンテンツの再生により上記ＤＲＭコンテンツを無料で再生できるようにするＡＤコンテンツが添付されたＤＲＭコンテンツの処理方法及び装置に関する。
【背景技術】
【０００２】
オンラインコミュニテイ、電子商取引などを中心にインターネットビジネスが盛んになっている中で、大部分のオンラインコンテンツプロバイダは、ユーザの関心と興味を引き出すことのできる多様なコンテンツを提供している。このようなコンテンツは、テキストだけでなく、音楽、静止画像、動画像などのマルチメディアが主流をなしており、多様なマルチメディアデータは、インターネット放送、教育、ニュース、スポーツ、旅行情報、専門家のコンサルティングなど、数え切れないほど多様な分野に適用されて、仮想空間で新しいサービスを創出している。このようなデジタルコンテンツは、既存のアナログコンテンツと比較すると、生成、加工、流通、分配などの面で多くの利点を有するが、原本と同一の複製を容易に作ることができるという特徴により、デジタル創作物に対する著作権保護の問題が深刻な問題として浮上してきた。
【０００３】
ＤＲＭシステムは、デジタル資産に関する権利を安全に保護して体系的に管理するための装置であって、コンテンツの無断複製を防止することはもちろん、コンテンツが生成されて出版、流通、及び使用されるまでの過程に対する一連の保護及び管理体系を提供する。ＤＲＭシステムは、デジタルコンテンツが常に暗号化された状態で存在して、認証されたユーザだけ瞬間的に複合化して使用できるようにし、そのコンテンツが複製されても、認証されていないユーザは使用できないように制御することにより、違法複製を防止することができる。
【０００４】
このようなＤＲＭシステムは、デジタルコンテンツに対する持続的な保護が可能であり、様々な使用規則を適用する。ＤＲＭ技術が適用されたコンテンツであっても、既存のデジタル情報の流通、配布、及び利用方式をそのまま受け入れなければならず、ＤＲＭの技術的保護措置がユーザに不便を与えてはならない。
【発明の開示】
【発明が解決しようとする課題】
【０００５】
一般に、ユーザは、ますます多様なコンテンツが提供されることを希望し、低コスト又は無料でＤＲＭコンテンツが提供されることを希望する。従って、一般的なＤＲＭシステムにおいては、ＤＲＭコンテンツを無料でユーザに提供できる方法が要求される。
【０００６】
本発明は、このような従来技術の要求を満たすためになされたもので、ＤＲＭシステムがユーザにＡＤコンテンツが添付されたＤＲＭコンテンツを提供し、ユーザがＡＤコンテンツの再生により上記ＤＲＭコンテンツを無料で使用することのできるＡＤコンテンツが添付されたＤＲＭコンテンツの処理方法及び装置を提供することを目的とする。
【０００７】
本発明の他の目的は、ＡＤコンテンツが添付されたＤＲＭコンテンツを生成するためのＤＲＭコンテンツの処理方法及び装置を提供することにある。
【０００８】
本発明のさらに他の目的は、ＤＲＭ装置がＡＤコンテンツの添付されたＤＲＭコンテンツを分析して上記ＡＤコンテンツを再生することにより、上記ＤＲＭコンテンツを無料で再生することのできるＡＤコンテンツが添付されたＤＲＭコンテンツの処理方法及び装置を提供することにある。
【課題を解決するための手段】
【０００９】
上記目的を達成するために、本発明は、ＡＤコンテンツをＤＲＭコンテンツに添付して一つのコンテンツを生成し、当該コンテンツに関する権利を発行する権利発行サーバ（Rights Issuer；ＲＩ）と、前記ＡＤコンテンツが添付されたＤＲＭコンテンツを取得して前記ＡＤコンテンツを再生した後、前記ＤＲＭコンテンツを使用するＤＲＭ装置とを含むことを特徴とするＡＤコンテンツが添付されたＤＲＭコンテンツを処理するシステムを提供する。
【００１０】
また、上記目的を達成するために、本発明は、ＤＲＭシステムにおいて、マルチコンテンツフォーマットファイルに、ＡＤコンテンツの添付を示すＡＤコンテンツビューヘッダ（AD view header）を追加し、ＡＤコンテンツ及びＤＲＭコンテンツを挿入することにより、前記マルチコンテンツフォーマットファイルのＡＤコンテンツが再生されると前記ＤＲＭコンテンツの使用を可能にすることを特徴とするＡＤコンテンツが添付されたＤＲＭコンテンツの処理方法を提供する。
【００１１】
さらに、上記目的を達成するために、本発明は、ＤＲＭ装置がＡＤコンテンツの添付されたＤＲＭコンテンツを選択する過程と、プレゼンテーションサーバ（Presentation Server；ＰＳ）が前記ＡＤコンテンツの添付されたＤＲＭコンテンツの情報を権利発行サーバ（ＲＩ）に提供する過程と、前記ＲＩが前記ＡＤコンテンツ及び前記ＤＲＭコンテンツをコンテンツ発行サーバ（Contents Issuer；ＣＩ）に要求する過程と、前記ＣＩが前記ＡＤコンテンツ及び前記ＤＲＭコンテンツを前記ＲＩに提供する過程と、前記ＲＩが前記ＡＤコンテンツ及び前記ＤＲＭコンテンツを利用してマルチコンテンツフォーマットファイルを生成し、前記マルチコンテンツフォーマットファイルを前記ＤＲＭ装置にダウンロードする過程と、を含むことを特徴とするＡＤコンテンツが添付されたＤＲＭコンテンツの処理方法を提供する。
【００１２】
さらに、上記目的を達成するために、本発明は、ＡＤコンテンツの添付を示すＡＤコンテンツビューヘッダと、ＡＤコンテンツを含む少なくとも一つのコンテンツとを含むマルチコンテンツフォーマットファイルを使用することを特徴とするＤＲＭシステムを提供する。
【発明の効果】
【００１３】
本発明は、ＡＤコンテンツが添付されたＤＲＭコンテンツであることを示すＡＤコンテンツビューヘッダをＤＣＦファイルに追加し、このＤＣＦファイルにＤＲＭコンテンツ及びＡＤコンテンツを挿入することにより、ＡＤコンテンツが添付されたＤＲＭコンテンツを生成できるという効果がある。
【００１４】
本発明は、ＤＲＭ装置がマルチパートＤＣＦファイルを複合化するとき、このマルチパートＤＣＦファイルにＡＤコンテンツビューヘッダが含まれているか否か、上記ＡＤコンテンツビューヘッダ用コンテンツタイプがターゲットコンテンツタイプとＡＤコンテンツタイプに設定されているか否か、上記ターゲットコンテンツタイプに対してＡＤコンテンツＩＤパラメータとＡＤコンテンツ管理サーバ位置情報パラメータとがそれぞれ指定されているか否か、上記ＡＤコンテンツタイプに対してアルゴリズムＩＤが空値（ＮＵＬＬ）に設定されているか否かを判定することにより、上記マルチパートＤＣＦファイルがＡＤコンテンツの添付されたＤＲＭコンテンツのためのマルチパートＤＣＦファイルであるか否かを判断できるという効果がある。
【００１５】
また、ＡＤコンテンツが添付されたＤＲＭコンテンツを再生する場合、ＤＲＭ装置がＡＤコンテンツを再生した後、この再生されたＡＤコンテンツによるＤＲＭコンテンツの権利が有効であるか否かを判定するために、ＡＤコンテンツ管理サーバに認証情報及び許可情報を報告することにより、上記ＡＤコンテンツの添付されたＤＲＭコンテンツの権利が有効であるか否かを上記ＤＲＭ装置と上記ＡＤコンテンツ管理サーバがダブルチェックできて、上記ＤＲＭコンテンツの権利を正確に管理でき、さらに、上記認証情報及び許可情報を収集して上記ＡＤコンテンツに関する統計情報を生成できるという効果がある。
【００１６】
本発明は、ＡＤコンテンツが添付されたＤＲＭコンテンツをＤＲＭ装置に提供して、このＤＲＭ装置による上記ＡＤコンテンツの再生により上記ＤＲＭコンテンツを無料で使用することができるようにしているため、開発者は低コストでユーザに価値のあるＤＲＭコンテンツを提供でき、広告主は最新のＤＲＭ装置を利用して効率的な方法でユーザに製品を広告でき、ユーザは製品の最新情報を得ると共に無料で所望のＤＲＭコンテンツを使用することができるという効果がある。
【発明を実施するための最良の形態】
【００１７】
本発明は、ＡＤコンテンツが添付されたＤＲＭコンテンツを生成してユーザに提供することにより、ユーザがＤＲＭコンテンツをダウンロードしてＡＤコンテンツを再生すると、その代価としてＤＲＭコンテンツを再生できるようにする方法及び装置を提案する。
【００１８】
以下、添付図面を参照して本発明の好ましい実施形態について説明する。
図１は本発明によるＡＤコンテンツが添付されたＤＲＭコンテンツを処理するためのＤＲＭシステムの一構成例を示す図である。
図１に示すように、本発明によるＡＤコンテンツが添付されたＤＲＭコンテンツを処理するためのＤＲＭシステムは、ＡＤコンテンツをＤＲＭコンテンツに添付して一つのコンテンツを生成し、当該コンテンツに関する権利を発行する権利発行サーバ（以下、「ＲＩ」という）３０と、上記ＡＤコンテンツが添付されたＤＲＭコンテンツを取得してＡＤコンテンツを再生した後、上記ＤＲＭコンテンツを使用するＤＲＭ装置１０とを含む。
【００１９】
上記ＤＲＭシステムは、ＡＤコンテンツ及びＤＲＭコンテンツを提供するコンテンツ発行サーバ（以下、「ＣＩ」という）４０と、上記ＡＤコンテンツが添付されたＤＲＭコンテンツの無料使用方法の種類を提供するプレゼンテーションサーバ（以下、「ＰＳ」という）２０とをさらに含む。
【００２０】
ＣＩ４０は、広告主又はスポンサーを含む。ＲＩ３０は、ＤＲＭ装置１０から報告されたＡＤコンテンツ使用状態情報に応じて、上記ＡＤコンテンツが添付されたＤＲＭコンテンツの権利を管理し、ＡＤコンテンツ使用状態情報の報告によってＡＤコンテンツの統計情報を収集するＡＤコンテンツ管理サーバ（adview-report-url server）３１を含む。ＡＤコンテンツ管理サーバ３１は、広告主又はスポンサーなどにより運営される。
【００２１】
ＤＲＭ装置１０は、図２に示すように、ＡＤコンテンツが添付されたＤＲＭコンテンツをダウンロードするダウンロードエージェント１１と、上記ＤＲＭコンテンツに上記ＡＤコンテンツが添付されているか否かを判定してＤＲＭコンテンツを複合化する構文解析部１２と、上記復号化されたＤＲＭコンテンツ及びＡＤコンテンツをＤＲＭアプリケーションプログラム１５に接続し、ＤＲＭコンテンツの権利をＡＤコンテンツの使用によって管理するＤＲＭエージェント１３と、ＤＲＭコンテンツの権利状態情報を管理するためのデータベース（以下、「ＤＢ」という）１４と、ＤＲＭコンテンツ及びＡＤコンテンツを再生するためのＤＲＭアプリケーションプログラム１５と、を含む。上記ＤＲＭ装置１０は、ＰＤＡ、移動通信端末機などの移動端末機でもよい。
【００２２】
まず、本発明によりＲＩ３０がＡＤコンテンツを挿入してＤＲＭコンテンツを生成する方法について説明する。
【００２３】
本発明は、ＤＲＭコンテンツがＡＤコンテンツを含むことを示すＡＤコンテンツビューヘッダをＤＣＦ（DRM Contents Format）規格（specification）のＤＣＦへッダに追加する。一般に、上記ＤＣＦヘッダは、共通ヘッダ（common header）を有し、共通ヘッダはテキストヘッダ（textual header）を有し、テキストヘッダに上記ＡＤコンテンツビューヘッダが追加される。ＡＤコンテンツビューヘッダを含むＤＣＦとは、ＤＲＭ装置が実際に使用しようとするＤＲＭコンテンツのようなターゲットコンテンツと、このターゲットコンテンツを無料で使用するために実際に再生しなければならないコンテンツのようなＡＤコンテンツの二つのコンテンツを含むマルチコンテンツＤＣＦ（以下「マルチパートＤＣＦ」という）を意味する。従って、ＡＤコンテンツビューヘッダを含むマルチパートＤＣＦのコンテンツは、ＤＲＭにより保護すべき価値のあるコンテンツタイプのようなターゲットコンテンツタイプと、広告のために使用されるコンテンツタイプのようなＡＤコンテンツタイプとを有し、これらの二つのコンテンツは一つのマルチパートＤＣＦ内に共に存在しなければならない。
【００２４】
図３は、本発明によるＡＤコンテンツが添付されたマルチパートＤＣＦファイルの一構成例を示す図である。
本発明によるＡＤコンテンツが添付されたマルチパートＤＣＦファイルは、ヘッダと、ターゲットコンテンツ（ＤＲＭコンテンツ）用の第１ＤＲＭコンテナと、ターゲットコンテンツを無料で使用するために再生しなければならないＡＤコンテンツ用の第２ＤＲＭコンテナとを含む。上記第１ＤＲＭコンテナは、ターゲットコンテンツとターゲットコンテンツＤＣＦヘッダとを含み、上記第２ＤＲＭコンテナは、ＡＤコンテンツとＡＤコンテンツＤＣＦヘッダとを含む。上記第１ＤＲＭコンテナのターゲットコンテンツＤＣＦヘッダは、ＡＤコンテンツの添付を示す第１ＡＤコンテンツビューヘッダを含み、この第１ＡＤコンテンツビューヘッダは、ターゲットコンテンツタイプパラメータを有する。また、上記２ＤＲＭコンテナのＡＤコンテンツＤＣＦヘッダは、ＡＤコンテンツの添付を示す第２ＡＤコンテンツビューヘッダを含み、この第２ＡＤコンテンツビューヘッダは、ＡＤコンテンツタイプパラメータを有する。
【００２５】
ＲＩ３０は、ユーザにより選択されたＡＤコンテンツ及びＤＲＭコンテンツに基づいて、上記マルチパートＤＣＦファイルを生成する。すなわち、ＲＩ３０は、マルチパートＤＣＦファイルの第１ＤＲＭコンテナのＤＣＦヘッダフィールドに上記第１ＡＤコンテンツビューヘッダを追加し、第１ＤＲＭコンテナのコンテンツフィールドに上記ＤＲＭコンテンツを記録し、マルチパートＤＣＦファイルの第２ＤＲＭコンテナのＤＣＦヘッダフィールドに上記第２ＡＤコンテンツビューヘッダを追加し、第２ＤＲＭコンテナのコンテンツフィールドに上記ＡＤコンテンツを記録する。
【００２６】
さらに、ＲＩ３０は、第１ＤＲＭコンテナのＤＣＦヘッダフィールドに含まれている第１ＡＤコンテンツビューヘッダにターゲットコンテンツタイプを追加し、第２ＤＲＭコンテナのＤＣＦヘッダフィールドに含まれている第２ＡＤコンテンツビューヘッダにＡＤコンテンツタイプを追加する。
【００２７】
そして、ＲＩ３０は、上記ターゲットコンテンツタイプに対して、ＡＤコンテンツＩＤ（adview-element-uri）パラメータとＡＤコンテンツ管理サーバ位置情報（adview-report-url）パラメータとを指定し、上記ＡＤコンテンツタイプに対して、アルゴリズムＩＤパラメータと暗号化方法ヘッダとを空値（ＮＵＬＬ）に設定する。
上記ＡＤコンテンツＩＤパラメータは、特定ＩＤ値を有し、広告のために再生されるＡＤコンテンツのＩＤを示す。
【００２８】
上記ＡＤコンテンツ管理サーバ位置情報パラメータは、ＤＲＭ装置１０がＡＤコンテンツを再生した後、ＡＤコンテンツ使用状態情報を報告するために、ＤＲＭ装置１０の認証情報及び許可情報を送信するためのサーバの位置に関する情報（Uniform Resource Locator；ＵＲＬ）を示す。上記アルゴリズムＩＤパラメータ及び暗号化方法ヘッダが空値（ＮＵＬＬ）に設定されることにより、上記ＡＤコンテンツタイプに該当するＡＤコンテンツは暗号化されていないことを示す。
【００２９】
このような方法でＡＤコンテンツ及びＤＲＭコンテンツをマルチパートＤＣＦファイルの該当ＤＲＭコンテナにそれぞれ保存することにより、ＲＩ３０はマルチパートＤＣＦファイルを生成する。
【００３０】
以下、ＤＲＭ装置１０が、ＡＤコンテンツが添付されたＤＲＭコンテンツを含むマルチパートＤＣＦをダウンロードし、このマルチパートＤＣＦの複合化により、マルチパートＤＣＦがＡＤコンテンツの添付されたＤＲＭコンテンツを含むか否かを判定し、上記複合化されたマルチパートＤＣＦファイルに含まれているＡＤコンテンツを再生してＤＲＭコンテンツを無料で使用する方法について説明する。
【００３１】
図４は、本発明によるＡＤコンテンツが添付されたＤＲＭコンテンツのダウンロード方法の一例を示す図である。
ＤＲＭ装置１０は、ＰＳ２０のウェブサイトに接続して（Ｓ１１）、一つのＤＲＭコンテンツを選択する（Ｓ１２）。すると、ＰＳ２０は、選択されたＤＲＭコンテンツの権利使用方法及びコストの種類を表示する（Ｓ１３）。この権利使用方法の種類は、使用回数（count）、使用期間（interval）、使用期限（date）を含み、上記コストの種類は、広告視聴後無料（free with AD）を含む。
【００３２】
ＤＲＭ装置１０が「広告視聴後無料」を選択すると（Ｓ１４）、ＰＳ２０は、広告の種類（例えば、スポーツウェア、清涼飲料など）、各広告に関する広告情報（例えば、コンテンツのサイズ、視聴時間など）、各広告の選択による権利使用方法（使用回数、使用期間、使用期限など）を表示する（Ｓ１５）。ＤＲＭ装置１０は、一つの広告とそれによる権利使用方法を選択する（Ｓ１６）。ＰＳ２０は、選択された権利、すなわち、ＡＤコンテンツが添付されたＤＲＭコンテンツの権利に関する情報をＲＩ３０に通知する（Ｓ１７）。
【００３３】
ＲＩ３０は、選択された権利に関するコンテンツをＣＩ４０に要求し（Ｓ１８）、ＣＩ４０は、要求されたコンテンツ、すなわち、ＡＤコンテンツ及びＤＲＭコンテンツをＲＩ３０に送信する（Ｓ１９）。そうすると、ＲＩ３０は、受信したＡＤコンテンツ及びＤＲＭコンテンツを利用してマルチパートＤＣＦファイルを生成する（Ｓ２０）。マルチパートＤＣＦファイル生成方法については上で説明したので、ここでは省略する。
【００３４】
ＲＩ３０は、生成したマルチパートＤＣＦファイルをＤＲＭ装置１０に送信する（Ｓ２１）。コンテンツと権利とが分離されて伝達された場合、図４に示すように、ＤＲＭ装置１０は、受信したマルチパートＤＣＦファイルに関する権利をＲＩ３０に要求する（Ｓ２２）。ＲＩ３０は、ダウンロード記述子（Download Descriptor；ＤＤ）、及び要求された権利の発行を受けるように案内する案内情報であるＲＯＡＰ（Right Object Acquisition Protocol）トリガをＤＲＭ装置１０に送信する（Ｓ２３）。そうすると、ＤＲＭ装置１０は、一般的な２パスＲＯＡＰの手順に従って、ＲＩ３０から上記要求した権利の発行を受ける。すなわち、ＤＲＭ装置１０がＲＩ３０に権利要求メッセージを送信すると、ＲＩ３０は、ＤＲＭ装置１０を認証した後、上記要求された権利をＤＲＭ装置１０に発行する。
【００３５】
ＲＩ３０は、上記要求された権利をＤＲＭ装置１０に発行したときには、ＤＲＭ装置１０に上記権利に対する料金を請求しない。この場合、ＲＩ３０は、例えば、上記段階Ｓ２０でマルチパートＤＣＦを生成した後、ＣＩ４０又は広告主（若しくは、スポンサー）に上記権利に対するコスト（料金）を請求することができる。
【００３６】
一方、図４には示されていないが、コンテンツと権利が共に伝達された場合、ＤＲＭ装置１０は、選択したＤＲＭコンテンツに対する権利を別途、ＲＩ３０に要求する必要がない。特に、ＡＤコンテンツが添付されたＤＲＭコンテンツのダウンロード動作は、ＤＲＭ装置１０のダウンロードエージェント１１により実行される。
【００３７】
次に、本発明によるＤＲＭ装置１０がダウンロードしたＡＤコンテンツの添付されたＤＲＭコンテンツの復号化方法について説明する。この複合化動作は、ＤＲＭ装置１０の構文解析部１２により実行される。
【００３８】
図５は、本発明によるＤＲＭ装置がＡＤコンテンツの添付されたＤＲＭコンテンツを複合化する方法の一例を示す図である。
ＤＲＭ装置１０は、ＲＩ３０からダウンロレドしたマルチパートＤＣＦファイルの各ＤＲＭコンテナのＤＣＦヘッダフィールドにＡＤコンテンツビューヘッダが存在するか否かを判定する（Ｓ３１）。ＤＲＭ装置１０は、上記ＡＤコンテンツビューヘッダが存在しないと判定したときには、一般的な復号化手順を行う（Ｓ３２）。
【００３９】
これに対し、ＤＲＭ装置１０は、上記各ＤＲＭコンテナのＤＣＦヘッダフィールドにＡＤコンテンツビューヘッダが存在すると判定したときには、各ＡＤコンテンツビューヘッダがターゲットコンテンツタイプ又はＡＤコンテンツタイプを有するか否かを判定する（Ｓ３３）。すなわち、ＤＲＭ装置１０は、上記マルチパートＤＣＦファイルの第１ＤＲＭコンテナのＤＣＦヘッダフィールドに、第１ＡＤコンテンツビューヘッダ用のターゲットコンテンツタイプが含まれているか否か、また、第２ＤＲＭコンテナのＤＣＦヘッダフィールドに、第２ＡＤコンテンツビューヘッダ用のＡＤコンテンツタイプが含まれているか否かを判定する。ＤＲＭ装置１０は、各ＡＤコンテンツビューヘッダがターゲットコンテンツタイプ又はＡＤコンテンツタイプを有しないと判定したときには、ユーザにエラーを通知する（Ｓ３４）。
【００４０】
一方、各ＡＤコンテンツビューヘッダがターゲットコンテンツタイプとＡＤコンテンツタイプとを有していると判定したときには、すなわち、上記第１ＡＤコンテンツビューヘッダがターゲットコンテンツタイプを有し、上記第２ＡＤコンテンツビューヘッダがＡＤコンテンツタイプを有するときには、ＤＲＭ装置１０は、上記ターゲットコンテンツタイプとしてＡＤコンテンツＩＤ（adview-element-url）パラメータとＡＤコンテンツ管理サーバ位置情報（adview-report-url）パラメータが設定されているか否かを判定する（Ｓ３５）。ＤＲＭ装置１０は、上記ターゲットコンテンツタイプに対してＡＤコンテンツＩＤ（adview-element-url）パラメータとＡＤコンテンツ管理サーバ位置情報（adview-report-url）パラメータとが設定されていないと判定したときには、ユーザにエラーを通知する（Ｓ３４）。
【００４１】
一方、上記ターゲットコンテンツタイプに対してＡＤコンテンツＩＤ（adview-element-url）パラメータとＡＤコンテンツ管理サーバ位置情報（adview-report-url）パラメータが設定されている場合には、ＤＲＭ装置１０は、上記ＡＤコンテンツタイプに対するアルゴリズムＩＤパラメータが空値（ＮＵＬＬ）に設定されているか否かを判定する（Ｓ３６）。ＤＲＭ装置１０は、上記ＡＤコンテンツタイプに対するアルゴリズムＩＤパラメータが空値（ＮＵＬＬ）に設定されていないと判定したときには、ユーザにエラーを通知する（Ｓ３４）。
【００４２】
これに対し、前記ＡＤコンテンツタイプに対するアルゴリズムＩＤパラメータが空値（ＮＵＬＬ）に設定されていると判定したときには、ＤＲＭ装置１０は、上記ダウンロードしたマルチパートＤＣＦファイルをＤＢ１４に保存する（Ｓ３７）。
【００４３】
次に、本発明によるＤＲＭ装置１０が復号化されたＡＤコンテンツの添付されたＤＲＭコンテンツを再生する方法について説明する。
図６は本発明によるＤＲＭ装置がＡＤコンテンツの添付されたＤＲＭコンテンツを再生する方法の一例を示す図である。
ＤＲＭ装置１０のユーザは、再生しようとするＤＲＭコンテンツのリストのような表示されたＵＩ（user Interface）リストのうちから、一つのＤＲＭコンテンツの再生を試みる（Ｓ４１）。すると、ＤＲＭ装置１０は、再生が試みられたＤＲＭコンテンツのＤＣＦがＡＤコンテンツビューヘッダを有するか否かを判定する（Ｓ４２）。ＤＲＭ装置１０は、上記ＤＣＦがＡＤコンテンツビューヘッダを有していないと判定したときには、一般的な再生手順を行う（Ｓ４３）。
【００４４】
これに対し、上記ＤＣＦがＡＤコンテンツビューヘッダを有していると判定したときには、ＤＲＭ装置１０は、上記ＤＲＭコンテンツの権利状態がアクティブ（有効）状態であるか否かを判定する（Ｓ４４）。ＤＲＭ装置１０は、上記ＤＲＭコンテンツの権利状態がアクティブ（有効）状態であると判定したときには、ユーザにエラーメッセージを通知する（Ｓ４５）。
【００４５】
これに対し、ＤＲＭ装置１０は、上記ＤＲＭコンテンツの権利状態がアクティブ（有効）状態でないと判定したときには、上記ＤＲＭコンテンツの権利自体が有効であるか否かを判定する（Ｓ４６）。すなわち、ＤＲＭ装置１０は、上記権利が消滅したか否かを判定する。例えば、上記権利の使用期限が満了したか否かを判定する。ＤＲＭ装置１０は、その判定の結果、上記権利が消滅していると判定したときには、ユーザにエラーを通知する（Ｓ４５）。
【００４６】
一方、ＤＲＭ装置１０は、上記権利が消滅していないと判定したときには、上記ＤＣＦからＡＤコンテンツＩＤを取り出してそのＡＤコンテンツを再生する（Ｓ４７）。
【００４７】
その後、ＤＲＭ装置１０は、上記ＤＣＦに含まれているＡＤコンテンツ管理サーバ位置情報を利用してＡＤコンテンツ管理サーバ３１を確認し、そのＡＤコンテンツ管理サーバ３１に上記ＡＤコンテンツ使用状態情報を報告するために、認証情報及び許可情報を送信する（Ｓ４８）。この認証情報は、ＤＲＭ装置１０のＩＤを含み、ＤＲＭ装置１０が正当な装置であるか否かの認証のために使用される。また、上記許可情報は、上記ＤＲＭコンテンツの権利が有効であるか否かの判定のために使用され、ＤＲＭコンテンツのＩＤ及び上記ＡＤコンテンツの使用回数を含み、さらに、ＤＲＭコンテンツの権利使用方法による権利使用状態を含む。ここで、ＤＲＭコンテンツの権利使用方法は、ＤＲＭ装置１０がＰＳ２０に接続して選択したＤＲＭコンテンツの権利使用方法と一致する。例えば、上記ＤＲＭコンテンツの権利使用方法が使用回数の場合、上記権利使用状態は上記ＤＲＭコンテンツの現在使用回数を示し、上記ＤＲＭコンテンツの権利使用方法が使用期限の場合、上記権利使用状態は現在の日付情報を示す。
【００４８】
ＡＤコンテンツ管理サーバ３１は、ＤＲＭ装置１０から報告された認証情報及び許可情報に基づいて、ＤＲＭ装置１０が正常な装置であるか否かを判定し、上記ＤＲＭコンテンツＩＤに該当するＤＲＭコンテンツを確認し、このＤＲＭコンテンツの権利使用方法に応じて、ＤＲＭ装置１０が上記ＤＲＭコンテンツの権利を正常に使用しているか否かを判定する。
【００４９】
また、ＡＤコンテンツ管理サーバ３１は、判定した情報に基づいて応答メッセージを生成し、この応答メッセージをＤＲＭ装置１０に送信する。ここで、ＡＤコンテンツ管理サーバ３１が、ＤＲＭ装置１０から送信された認証情報及び許可情報に基づいて、ＤＲＭ装置１０により再生が試みられているＤＲＭコンテンツに関する権利が有効であるか否かを判定することは、ＡＤコンテンツを利用した権利使用のダブルチェックといえ、報告された上記認証情報及び許可情報に基づいて広告主又はスポンサーがＡＤコンテンツに関する統計情報を生成できるようにする。この統計情報は、例えば、どれほど多くのユーザが広告を見ているか、どれほど頻繁に広告を見ているかなどに関する統計データを含む。
【００５０】
その後、ＡＤコンテンツ管理サーバ３１から応答メッセージが受信されると（Ｓ４９）、ＤＲＭ装置１０は、上記受信された応答メッセージに基づいて上記ＤＲＭコンテンツの権利が有効であるか否かを判定する（Ｓ５０）。ＤＲＭ装置１０は、上記ＤＲＭコンテンツの権利が有効でない場合には、上記ＤＲＭコンテンツの権利状態を無効状態に設定して再生手順を終了する（Ｓ５１）。
【００５１】
一方、上記ＤＲＭコンテンツの権利が有効である場合には、ＤＲＭ装置１０は、上記ＤＲＭコンテンツの権利状態を有効（アクティブ）状態に設定して（Ｓ５２）、上記ＤＲＭコンテンツを再生する。そして、上記ＤＲＭコンテンツの再生が開始されると、上記権利状態を無効状態に変更する（Ｓ５３）。
【００５２】
本発明は、広告情報を有するデジタルコンテンツをダウンロードするダウンロードエージェントと、上記ダウンロードしたデジタルコンテンツが広告情報を含むか否かを判定し、上記ダウンロードしたデジタルコンテンツを複合化する構文解析部と、認証されたユーザが上記広告情報を見た後にのみ、上記ダウンロードしたデジタルコンテンツを再生するアプリケーションプログラムとを含むＤＲＭ装置を提供する。
【００５３】
また、本発明は、上記デジタルコンテンツ及び上記広告情報を上記アプリケーションプログラムに接続し、上記デジタルコンテンツを再生する前に上記認証されたユーザが見る広告情報を要求して、上記デジタルコンテンツの違法複製を防止するＤＲＭエージェントをさらに含む。
【００５４】
上記認証されたユーザには、上記広告情報を見る代価として上記デジタルコンテンツを無料で再生することが許可される。また、上記広告情報を提供した広告主は、認証されたユーザがダウンロードする上記デジタルコンテンツに上記広告情報を添付するために、上記デジタルコンテンツのプロバイダに料金を支払う。
【００５５】
以上、本発明は、図面に示す実施形態を参照して説明したがこれは例示にすぎず、本発明の属する技術の分野における通常の知識を有する者であれば、これから多様な変形及び均等な他の実施形態が可能であることを理解するであろう。従って、本発明の権利範囲は、添付した特許請求の範囲の技術的思想により決定されるべきである。
【図面の簡単な説明】
【００５６】
【図１】本発明によるＡＤコンテンツが添付されたＤＲＭコンテンツを処理するためのＤＲＭシステムの一構成例を示す図である。
【図２】ＤＲＭ装置の構成を示すブロック図である。
【図３】本発明によるＡＤコンテンツが添付されたマルチパートＤＣＦファイルの一構成例を示す図である。
【図４】本発明によるＡＤコンテンツが添付されたＤＲＭコンテンツのダウンロード方法の一例を示す図である。
【図５】本発明によるＤＲＭ装置がＡＤコンテンツの添付されたＤＲＭコンテンツを複合化する方法の一例を示す図である。
【図６】本発明によるＤＲＭ装置がＡＤコンテンツの添付されたＤＲＭコンテンツを再生する方法の一例を示す図である。
【符号の説明】
【００５７】
１０…ＤＲＭ装置
１１…ダウンロードエージェント
１２…構文解析部
１３…ＤＲＭエージェント
１４…データベース（ＤＢ）
１５…ＤＲＭアプリケーションプログラム
２０…プレゼンテーションサーバ（ＰＳ）
３０…権利発行サーバ（ＲＩ）
３１…ＡＤコンテンツ管理サーバ
４０…コンテンツ発行サーバ（ＣＩ）
【図１】
2008519367.tif 000003
【図２】
2008519367.tif 000004
【図３】
2008519367.tif 000005
【図４】
2008519367.tif 000006
【図５】
2008519367.tif 000007
【図６】
2008519367.tif 000008
【国際調査報告】
2008519367.tif 000009